(57)【特許請求の範囲】
【請求項１】
前進後退変位し、前進した際には遊技球を打撃する打球ハンマと、該打球ハンマを前進付勢するばねと、該ばねの前進付勢力に抗して前記打球ハンマを後退駆動する後退駆動機構と、操作ダイヤルの回動量に応じて前記ばねの前進付勢力を調節する付勢力調節機構と、前記打球ハンマ、ばね、後退駆動機構および付勢力調節機構を支持するベース部材とを有し遊技盤面に向けて遊技球を発射する発射装置と該発射装置を保持する前面枠とを備える弾球遊技機において、
前記操作ダイヤルを、前記前面枠の板厚とほぼ同じ厚みであり前記ベース部材の表側に固着された箱体にて回動自在に保持する構造とし、
前記前面枠には、前記箱体と整合する長方形状の切り欠きを設け、
前記切り欠き内に前記箱体を挿入して前記発射装置を前記前面枠に固定することにより、前記発射装置を前記前面枠に組み付け可能とした
ことを特徴とする弾球遊技機。
【発明の詳細な説明】
【０００１】
【発明の属する技術分野】
本発明は、パチンコ機やアレンジボール式パチンコ機等の弾球遊技機および弾球遊技機に装着される発射装置に関する。
【０００２】
【従来の技術】
弾球遊技機に装着される発射装置にはいろいろな形式があり、一例として図６に示す形式のものがある。この形式の発射装置１００では、ベースプレート１０２にモータ１０４、打球ハンマ１０６、ばね１０８等を取り付け、ばね１０８によって打球ハンマ１０６を前進付勢しておき、モータ１０４によって打球ハンマ１０６を後退駆動して適宜の後退位置で解放することにより、ばね１０８の付勢力で前進する打球ハンマ１０６で遊技球を打撃して発射する構成であった。また、ばね１０８の付勢力を調節するための調節機構１１０と操作ダイヤル１１２の軸１１１とがワイヤ１１４等を介して接続されていて、操作ダイヤル１１２を回動することによりばね１０８の付勢力すなわち発射力を調節していた。
【０００３】
また、発射装置１００は弾球遊技機の前面枠１１６に取り付けられるのが普通であった。詳しくは、前面枠１１６にベースプレート１０２をビス止めし、操作ダイヤル１１２は、その軸１１１を前面枠１１６に穿設された貫通孔１１８に設置された軸受け１２０を貫通させて、回動自在に保持されていた。
【０００４】
【発明が解決しようとする課題】
ところで、図６に示される構造から明らかなように、発射装置１００のベースプレート１０２側と操作ダイヤル１１２とが前面枠１１６の内外に分かれて配置される構造から、発射装置１００の取り付けに当たっては、前面枠１１６の内面側におけるベースプレート１０２の取り付け作業と外面側からの操作ダイヤル１１２の取り付け作業が必要であった。またその際の操作ダイヤル１１２の芯出しも重要であった。このため取り付け作業は比較的煩雑でそれに要する工数も多かった。
【０００５】
本発明は、発射装置の取り付け工程を単純化するとともに取り付け作業に要する工数を低減することを目的としている。
【０００６】
【課題を解決するための手段】
上記課題を解決するための手段として、請求項１記載の弾球遊技機は、
前進後退変位し、前進した際には遊技球を打撃する打球ハンマと、該打球ハンマを前進付勢するばねと、該ばねの前進付勢力に抗して前記打球ハンマを後退駆動する後退駆動機構と、操作ダイヤルの回動量に応じて前記ばねの前進付勢力を調節する付勢力調節機構と、前記打球ハンマ、ばね、後退駆動機構および付勢力調節機構を支持するベース部材とを有し遊技盤面に向けて遊技球を発射する発射装置と該発射装置を保持する前面枠とを備える弾球遊技機において、
前記操作ダイヤルを、前記前面枠の板厚とほぼ同じ厚みであり前記ベース部材の表側に固着された箱体にて回動自在に保持する構造とし、
前記前面枠には、前記箱体と整合する長方形状の切り欠きを設け、
前記切り欠き内に前記箱体を挿入して前記発射装置を前記前面枠に固定することにより、前記発射装置を前記前面枠に組み付け可能とした
ことを特徴とする。
【０００８】
【発明の実施の形態】
上記の構成になる請求項１記載の弾球遊技機に装着される発射装置においては、後退駆動機構が、ばねの前進付勢力に抗して、打球ハンマを後退駆動させて解放する。すると、打球ハンマは、ばねの前進付勢力によって前進変位して遊技球を打撃する。打撃された遊技球はその打撃力によって撃ち出される。操作ダイヤルを回動させると、付勢力調節機構が、その回動量に応じてばねの前進付勢力を調節するから、遊技者は、操作ダイヤルを操作することにより、所望の位置に向けて遊技球を発射させることができる。こうした構成および動作は従来の発射装置と変わるところはない。
【０００９】
しかし、請求項１記載の弾球遊技機では、操作ダイヤルを、前面枠の板厚とほぼ同じ厚みでありベース部材の表側に固着された箱体にて回動自在に保持する構造としているので、例えば弾球遊技機の前面枠に軸受けを取り付けて、この軸受けで操作ダイヤルを軸支する必要はない。また、操作ダイヤルとベース部材側とがすでに連結されているので、発射装置を遊技機本体側に取り付ける際に改めて操作ダイヤルの芯出し作業を行う必要もない。
【００１０】
また、前面枠には、箱体と整合する長方形状の切り欠きを設けてあるから、操作ダイヤルの握り部を前面枠の前方側に突出させた状態で、箱体を切り欠きに挿入して発射装置を前面枠に固定することにより、発射装置を前面枠に組み付けできる。
【００１１】
この作業においては、位置合わせ等は別として、ビス止め等による固定作業のみが必要とされるだけであり、発射装置の取り付け作業は簡単であり、作業工数も少なくて済む。
【００１２】
次に、本発明の具体例により発明の実施の形態をさらに具体的に説明する。
【００１３】
【具体例】
図１に示すように、本具体例の弾球遊技機１０は、外枠１２に設けられている上下のヒンジ１４、１４により軸支される前面枠１６を備えている。この前面枠１６はプラスチック成型品であり、表側には装飾板が貼付されている。前面枠１６には金枠１８で囲まれる窓状部２０があり、窓状部２０の上側部分には遊技盤２２が設置され、遊技盤２２の前面は開閉自在なガラス板で覆われている。遊技盤２２の下側には上皿２４を備える上皿扉２６が開閉可能に取り付けられている。さらに、前面枠１６には、上皿扉２６の下方において、下皿２８が取り付けられ、操作ダイヤル３０が設置されている。また、前面枠１６には、下皿２８から操作ダイヤル３０にかけて装飾用の当て板３２が貼られている。なお、当て板３２は、操作ダイヤル３０付近を境にして２分割されている。
【００１４】
図２に示すように、前面枠１６の背面側には、発射装置４０が取り付けられている。
図２および図３に示すように、発射装置４０は、発射装置４０の各部を支持する部材であり発射装置４０を前面枠１６に取り付けるための部材でもあるベース板４２を備えている。ベース板４２には、頭部に打球部材４４を有する打球ハンマ４６が揺動自在に軸着されている。打球ハンマ４６の尾部４８にはワイヤ５０の一端が連結されている。このワイヤ５０の他端は、ばね（図示略）を内蔵する打球力調節機構５２に連結されており、ばねの付勢力により打球ハンマ４６を前進方向（図３における矢印Ｆ方向）に付勢している。
【００１５】
またベース板４２には、モータ５４が取り付けられており、モータ５４を稼働させれば、打球力調節機構５２に内蔵されるばねの付勢力に抗して打球ハンマ４６を後退方向（図３における矢印Ｂ方向）に変位させ所定の後退位置で解放することができる。ここで解放された打球ハンマ４６はばねの付勢力によって前進変位して遊技球を打撃することになる。
【００１６】
図３および図４に示すように、ベース板４２の４隅にはビス孔６０が設けられている。また、図４に示すように、ベース板４２の表側にはプラスチック製の箱体６２が固着されている。この箱体６２の厚みは、前面枠１６の板厚とほぼ同じである。箱体６２には操作ダイヤル３０の軸保持部６４が保持されている。この軸保持部６４の内部には握り部６６と図２および図３に示される打球力調節機構５２とを接続する操作軸（図示略）が配されていて、操作ダイヤル３０の握り部６６を回動させることにより打球力調節機構５２に内蔵されるばねの付勢力すなわち打球ハンマ４６の打撃力を調節することができる。
【００１７】
図３に示すように、前面枠１６には、発射装置４０の箱体６２と整合する長方形状の切り欠き７０が設けられており、この切り欠き７０内に箱体６２を挿入、取出し可能である。また切り欠き７０の周囲には、ベース板４２のビス孔６０に対応する４カ所にビス受け孔７２が設けられている。したがって、図３に示される矢印Ｉ方向に沿って発射装置４０を相対移動させて、箱体６２を切り欠き７０内に挿通させ、その状態でビス孔６０にビスを立てて発射装置４０を前面枠１６に固定することができる。そして、この状態で、図１に示される当て板３２を前面枠に貼り付ければよい。
【００１８】
また、当て板３２を外し、発射装置４０を固定しているビスを外してから、発射装置４０を図３に示される矢印Ｏ方向に沿って移動させれば、箱体６２を切り欠き７０から抜き取り、発射装置４０を前面枠１６から取り外すことができる。このように、本具体例の発射装置４０は、きわめて簡単に前面枠１６に取り付けることができる。しかも、モータ５４や打球ハンマ４６等と共に操作ダイヤル３０までもベース板４２に取り付けた状態の製品となっているから、取り付けに際しての操作ダイヤル３０の芯出し作業などは不要である。
【００１９】
よって、発射装置４０の取り付け工程は単純化され取り付け作業に要する工数も低減される。
以上、具体例に従って、本発明の実施の形態について説明したが、本発明はこのような具体例に限定されるものではなく、本発明の要旨を逸脱しない範囲でさまざまに実施できることは言うまでもない。
【００２０】
例えば、具体例では、発射装置のほぼ全体に対応する切り欠きを設けているが、例えば図５に示すように、少なくとも操作ダイヤル３０の軸保持部６４が挿通可能な切り欠き７０ａであれば、その切り欠き７０ａに軸保持部６４を挿通させて発射装置４０を移動させることで、発射装置４０を取り付け位置にセットすることができる。この際の挿通方向（切り欠きの開口向き）も、具体例のように上下方向に限定する必要はなく、水平方向であっても構わない。
【００２１】
また、具体例で示した箱体は前面枠の補強ともなるが、なくても構わない。特に、図５のような小さな切り欠きを採用する場合には、箱体は設けない方がコンパクトになる。
【００２２】
【発明の効果】
以上説明したように、請求項１記載の弾球遊技機によれば、例えば弾球遊技機の前面枠に軸受けを取り付けて、この軸受けで操作ダイヤルを軸支する必要はなく、発射装置の取り付けに際しての操作ダイヤルの芯出し作業も必要ない。
【００２３】
しかも、発射装置の取り付け作業は簡単であり、作業工数も少なくて済む。
【図面の簡単な説明】
【図１】  具体例の弾球遊技機の正面図である。
【図２】  具体例の弾球遊技機の前面枠の背面図である。
【図３】  具体例における前面枠と発射装置の取り付け、取り外しの説明図である。
【図４】  具体例の発射装置の正面側斜視図である。
【図５】  他の切り欠きの例の説明図である。
【図６】  従来の発射装置の取り付け構造の説明図である。
【符号の説明】
１０・・・弾球遊技機、１２・・・外枠、１６・・・前面枠（枠本体）、
２２・・・遊技盤、２４・・・上皿、２６・・・上皿扉、２８・・・下皿、
３０・・・操作ダイヤル、３２・・・当て板、４０・・・発射装置、
４２・・・ベース板、４４・・・打球部材、４６・・・打球ハンマ、
５２・・・打球力調節機構（付勢力調節機構）、
５４・・・モータ（後退駆動機構）、
６２・・・箱体、６４・・・軸保持部、６６・・・握り部、
７０、７０ａ・・・切り欠き。
【図１】
0004012268.tif 000002
【図２】
0004012268.tif 000003
【図３】
0004012268.tif 000004
【図４】
0004012268.tif 000005
【図５】
0004012268.tif 000006
【図６】
0004012268.tif 000007